(57)【要約】【課題】  通信に支障がある場合にも柔軟に対応可能な無線基地局装置及び無線基地局システムを提供すること。【解決手段】  無線基地局装置１００と基地局制御装置２００との間の通信が正常である場合、連携モードで通信を行い、接続状態監視部１０２は、基地局制御装置２００と無線基地局装置１００との間の接続に不具合を検出した場合、切り換え部１０５は端末接続部１０４を基地局制御装置２００から通信網接続部１０３に切り換えて接続し、単独モードに切り換える。【選択図】  図１
2006203640.tif 000002
【特許請求の範囲】
【請求項１】
無線通信にて端末装置と通信を行うと共に、基地局制御装置を介して上位の通信網に接続可能な無線基地局装置であって、
前記基地局制御装置に接続する制御装置接続手段と、
前記通信網に接続する通信網接続手段と、
前記端末装置と接続する端末接続手段と、
前記基地局制御装置との接続状態を監視する接続状態監視手段と、
前記接続状態に応じて、前記基地局制御装置と前記通信網接続手段とを切り換えて、前記端末接続手段と接続する切り換え手段と、
を備える無線基地局装置。
【請求項２】
請求項１記載の無線基地局装置であって、
前記接続状態監視手段は、前記基地局制御装置と前記無線基地局装置との間の接続に不具合を検出した場合、前記切り換え手段に不具合検出信号を送出し、前記基地局制御装置と前記無線基地局装置との間の接続不具合を復旧したことを検出した場合、前記切り換え手段に復旧信号を送出するものであり、
前記切り換え手段は、前記接続状態監視手段からの不具合検出信号を受け取ると、前記端末接続手段を前記基地局制御装置から前記通信網接続手段に切り換えて接続し、前記接続状態監視手段からの復旧信号を受け取ると、前記端末接続手段を前記通信網接続手段から前記基地局制御装置に切り換えて接続するものである無線基地局装置。
【請求項３】
請求項１記載の無線基地局装置であって、
前記基地局制御装置と前記無線基地局装置との間の遅延時間を計測する計測手段を更に備え、
前記接続状態監視手段は、計測手段で計測した前記基地局制御装置と前記無線基地局装置との間の遅延時間は所定レベルに達したことを検出した場合、前記切り換え手段に遅延超過信号を送出し、前記基地局制御装置と前記無線基地局装置との間の遅延時間は所定レベル未満の状態に復旧した場合、前記切り換え手段に復旧信号を送出するものであり、
前記切り換え手段は、前記接続状態監視手段からの遅延超過信号を受け取ると、前記端末接続手段を前記基地局制御装置から前記通信網接続手段に切り換えて接続し、前記接続状態監視手段からの復旧信号を受け取ると、前記端末接続手段を前記通信網接続手段から前記基地局制御装置に切り換えて接続するものである無線基地局装置。
【請求項４】
請求項１ないし３のいずれか一項記載の無線基地局装置であって、
無線通信にて端末装置と通信を行うと共に、上位の通信網に接続可能な無線基地局システムであって、
請求項１ないし３のいずれか一項記載の無線基地局装置と、前記無線基地局装置と前記通信網との間を第一の通信路を用いて接続する第一の基地局制御装置と、前記無線基地局装置と前記通信網との間を前記第一の通信路とは異なる第二の通信路を用いて接続する第二の基地局制御装置と、を備え、
前記第一の基地局制御装置及び前記第二の基地局制御装置はＶＲＲＰプロトコルを用いて冗長化を行う無線基地局装置。
【発明の詳細な説明】
【技術分野】
【０００１】
本発明は、基地局制御装置を介して上位の通信網に接続可能な無線基地局装置に関するものである。
【背景技術】
【０００２】
無線ＬＡＮ等のアクセスポイントを上位の通信網に接続して通信を行う通信システムが急速に普及している。このような通信システムにおいて、アクセスポイント等の無線基地局装置と上位通信網の接続するシステムとしては、無線基地局装置を直接上位の通信網に接続するシステムのほか、モバイルアクセスコントローラ（ＭｏＡＣ）等の制御装置を介して、複数の無線基地局装置と上位の通信網とを接続し、制御装置にて複数の無線基地局装置を連携して制御するシステムが考案されている（例えば、非特許文献１参照）。
【０００３】
このような制御装置を用いたシステムでは、制御装置で複数の無線基地局装置の状態管理を行うため、アソシエーション確立処理を簡略化することができ、高速なハンドオーバーが可能である。また、複数の無線基地局装置を集中的に管理するため、複数の無線基地局装置の暗号化情報の一括的な管理ができ、更に、各々の無線基地局装置に対して所望の電波制御を行うことも可能である。
【非特許文献１】Ｐ．カルホーン（P. Calhoun）、外５名、「ライトウェイトアクセスポイントプロトコル（Light Weight Access Point Protocol (LWAPP)）」、［online］、２００３年、ＩＥＴＦ（Internet Engineering Task Force）インターネットドラフト、［平成１７年１月１４日検索］、インターネット＜ＵＲＬ：http://web.archive.org/web/20031209115721/http://www.ietf.org/internet-drafts/draft-calhoun-seamoby-lwapp-03.txt＞
【発明の開示】
【発明が解決しようとする課題】
【０００４】
しかしながら、上記従来の制御装置を用いて複数の無線基地局装置を連携して制御するシステムにあっては、制御装置又は制御装置と無線基地局装置との間の通信に支障が生じた場合、制御を受ける複数の無線基地局装置全体が運用できなくなるといった事情があった。
【０００５】
本発明は、上記従来の事情に鑑みてなされたものであって、通信に支障がある場合にも柔軟に対応可能な無線基地局装置及び無線基地局システムを提供することを目的とする。
【課題を解決するための手段】
【０００６】
本発明の無線基地局装置は、無線通信にて端末装置と通信を行うと共に、基地局制御装置を介して上位の通信網に接続可能な無線基地局装置であって、前記基地局制御装置に接続する制御装置接続手段と、前記通信網に接続する通信網接続手段と、前記端末装置と接続する端末接続手段と、前記基地局制御装置との接続状態を監視する接続状態監視手段と、前記接続状態に応じて、前記基地局制御装置と前記通信網接続手段とを切り換えて、前記端末接続手段と接続する切り換え手段と、を備える。
【０００７】
この構成により、無線基地局装置は、直接上位の通信網に接続して通信を行う単独モードと、基地局制御装置を介して上位の通信網に接続する連携モードとを、基地局制御装置との接続状態に応じて切り換えるので、基地局制御装置に対する接続状態に支障がある場合にも適応的に対応することができる。
【０００８】
また、本発明の無線基地局装置は、前記接続状態監視手段は、前記基地局制御装置と前記無線基地局装置との間の接続に不具合を検出した場合、前記切り換え手段に不具合検出信号を送出し、前記基地局制御装置と前記無線基地局装置との間の接続不具合を復旧したことを検出した場合、前記切り換え手段に復旧信号を送出するものであり、前記切り換え手段は、前記接続状態監視手段からの不具合検出信号を受け取ると、前記端末接続手段を前記基地局制御装置から前記通信網接続手段に切り換えて接続し、前記接続状態監視手段からの復旧信号を受け取ると、前記端末接続手段を前記通信網接続手段から前記基地局制御装置に切り換えて接続するものである。
【０００９】
この構成により、基地局制御装置との通信に支障が起きた後に通信が復旧した場合、再び連携モードに切り換えるので、通信状態に対して柔軟に対応することができる。
【００１０】
また、本発明の無線基地局装置は、前記基地局制御装置と前記無線基地局装置との間の遅延時間を計測する計測手段を更に備え、前記接続状態監視手段は、計測手段で計測した前記基地局制御装置と前記無線基地局装置との間の遅延時間は所定レベルに達したことを検出した場合、前記切り換え手段に遅延超過信号を送出し、前記基地局制御装置と前記無線基地局装置との間の遅延時間は所定レベル未満の状態に復旧した場合、前記切り換え手段に復旧信号を送出するものであり、前記切り換え手段は、前記接続状態監視手段からの遅延超過信号を受け取ると、前記端末接続手段を前記基地局制御装置から前記通信網接続手段に切り換えて接続し、前記接続状態監視手段からの復旧信号を受け取ると、前記端末接続手段を前記通信網接続手段から前記基地局制御装置に切り換えて接続するものである。
【００１１】
この構成により、基地局制御装置と無線基地局装置との間の通信における遅延時間に応じてモードを切り換えるので、適切なモードで通信を行うことができる。
【００１２】
本発明の基地局システムは、無線通信にて端末装置と通信を行うと共に、上位の通信網に接続可能な無線基地局システムであって、上記の無線基地局装置と、前記無線基地局装置と前記通信網との間を第一の通信路を用いて接続する第一の基地局制御装置と、前記無線基地局装置と前記通信網との間を前記第一の通信路とは異なる第二の通信路を用いて接続する第二の基地局制御装置と、を備え、前記第一の基地局制御装置及び前記第二の基地局制御装置はＶＲＲＰプロトコルを用いて冗長化を行う。
【００１３】
この構成により、基地局制御装置の冗長化を行うので、より確実性の高い連携モードでの通信を行うことができる。
【発明の効果】
【００１４】
本発明によれば、通信に支障がある場合にも柔軟に対応可能な無線基地局装置及び無線基地局システムを提供することができる。
【発明を実施するための最良の形態】
【００１５】
（第１の実施形態）
図１は、本発明の第１の実施形態に係る無線通信システムの概略構成を示すブロック図である。図１に示すように、本実施形態の無線通信システムは、無線基地局装置１００と、例えばイーサネット（登録商標）等のＬＡＮを介して少なくとも一つの無線基地局装置１００を制御する基地局制御装置２００と、無線伝送路を介して無線基地局装置１００と通信を行う端末装置４００とを備える。無線基地局装置１００は、無線基地局装置１００のほか、上位の通信網（ＬＡＮやＷＡＮ等）に直接接続可能な構成を有している。
【００１６】
無線基地局装置１００は、基地局制御装置２００に接続する制御装置接続部１０１と、基地局制御装置２００との接続状態を監視する接続状態監視部１０２と、通信網３００に接続する通信網接続部１０３と、端末装置４００に接続する端末接続部１０４と、基地局制御装置２００との接続状態に応じて、基地局制御装置２００と通信網接続部１０３とを切り換えて、端末接続部１０４と接続する切り換え部１０５とを有する。
【００１７】
制御装置接続部１０１は、基地局制御装置２００に対して、無線基地局制御プロトコルを用いて通信を行い、基地局制御装置２００からの制御情報に応じて無線基地局装置１００の動作を制御する。接続状態監視部１０２は、基地局制御装置２００と無線基地局装置１００との間の接続に不具合を検出した場合、すなわち、基地局制御装置２００と無線基地局装置１００との間の通信に支障が起きた場合、切り換え部１０５に不具合検出信号を送出し、基地局制御装置２００と無線基地局装置１００との間の接続不具合を復旧したことを検出した場合、切り換え部１０５に復旧信号を送出する。
【００１８】
通信網接続部１０３は、無線プロトコルの上位層（例えば、８０２．１１のＭＡＣ層等）を用いて通信網３００に接続する。端末接続部１０４は、無線プロトコルの物理層（例えば、８０２．１１のＰＨＹ層等）を用いて無線通信回線に接続し、端末装置４００と通信を行う。
【００１９】
切り換え部１０５は、接続状態監視部１０２からの不具合検出信号を受け取ると、端末接続部１０４を基地局制御装置２００から通信網接続部１０３に切り換えて接続し、接続状態監視部１０２からの復旧信号を受け取ると、端末接続部１０４を通信網接続部１０３から基地局制御装置２００に切り換えて接続する。
【００２０】
基地局制御装置２００は、通信網３００に接続する通信網接続部２０１と、無線基地局装置１００を制御する基地局制御部２０２と、無線基地局装置１００に接続する基地局接続部２０３とを有する。
【００２１】
通信網接続部２０１は、無線基地局装置１００に対して、無線基地局制御プロトコルを用いて通信を行う。基地局制御部２０２は、無線基地局装置１００の設定や、無線基地局装置１００の状態監視等の制御を行う。
【００２２】
図２は、無線基地局装置と基地局制御装置との間のデータのやりとりを示すシーケンス図、図３は無線基地局装置の状態遷移を示す図、図４は基地局制御装置の状態遷移を示す図である。
【００２３】
図２〜４を参照しながら、無線基地局装置１００と基地局制御装置２００との間のデータのやりとり及び無線基地局装置１００と基地局制御装置２００の状態遷移について説明する。なお、以下の説明において、無線基地局装置１００が直接上位の通信網３００に接続して通信を行うモードを単独モード、基地局制御装置２００による制御を受けるモードを連携モードという。また、単独モードにて動作する無線基地局装置をスタンドアローンＡＰという。
【００２４】
まず、無線基地局装置１００は立ち上がった（ステップＳ２０１）後、基地局制御装置２００を探すために、検索リクエストメッセージを送信する（ステップＳ２０２）。このとき、無線基地局装置１００は、初期状態３０１から検索状態３０２に遷移する。基地局制御装置２００からの検索レスポンスメッセージを受信するまで、定期的にこの検索リクエストメッセージを送信し続ける。
【００２５】
基地局制御装置２００は、無線基地局装置１００からの検索リクエストメッセージを受信すると、自分の存在を無線基地局装置１００に通知するために、検索レスポンスメッセージを送信する（ステップＳ２０３）。
【００２６】
単独モードで動作するときのＡＰをスタンドアローンＡＰと呼び、そのスタンドアローンＡＰは、立ち上げ時に自動的に初期状態３０１からスタンドアローンＡＰ運用状態（以下、ＳＡＰ運用状態）３０６に遷移し、無線サービスを開始し、それと同時に所定時間おきに検索リクエストメッセージを送信し、基地局制御装置２００を探す。基地局制御装置２００がスタンドアローンＡＰからの検索リクエストメッセージを受信すると、状態なし４０１からＳＡＰ運用状態４０５に遷移し、検索レスポンスメッセージを返して、基地局制御装置２００の存在をスタンドアローンＡＰに知らせる。
【００２７】
無線基地局装置１００は基地局制御装置２００からの検索レスポンスメッセージを受信すると、接続リクエストメッセージを基地局制御装置２００へ送信し、基地局制御装置２００に対して接続を要求し、自身の登録を行う（ステップＳ２０４）。このとき、無線基地局装置１００は、検索状態３０２から接続状態３０３に遷移する。
【００２８】
基地局制御装置２００は、無線基地局装置１００からの接続リクエストメッセージを受信すると、状態なし４０１から接続状態４０２に遷移して、接続してきた無線基地局装置１００の情報を登録し、無線基地局装置１００のＭＡＣアドレスを見て、無線基地局装置１００の接続許可／不許可を決定し、不許可の場合は、この時点で接続を中止し、接続してきた無線基地局装置１００のＭＡＣアドレス宛にＮＧの接続レスポンスメッセージを送信し、無線基地局装置１００はそのＮＧの接続レスポンスメッセージを受信すると、接続状態３０３から検索状態３０２に戻り、初期処理からやり直す。一方、許可の場合は、基地局制御装置２００は、接続してきた無線基地局装置１００のＭＡＣアドレス宛に接続レスポンスメッセージを送信する（ステップＳ２０５）。
【００２９】
無線基地局装置１００は、基地局制御装置２００からの接続レスポンスメッセージを受信すると、接続状態３０３から設定状態３０４に遷移し、基地局制御装置２００に対して設定リクエストメッセージを送信する（ステップＳ２０６）。
【００３０】
基地局制御装置２００は、無線基地局装置１００からの設定リクエストメッセージを受信すると、接続状態４０２から設定状態４０３に遷移して、無線基地局装置１００に適応させる設定を設定データメッセージで無線基地局装置１００に通知する（ステップＳ２０７）。
【００３１】
無線基地局装置１００は、基地局制御装置２００からの設定データメッセージを受信し、メッセージを展開しハードウエアのレジスタに設定を行い、設定データレスポンスメッセージを基地局制御装置２００に送信する（ステップＳ２０８）。ここで、設定すべき設定データ（以下、コンフィグデータ）全てを送信し終わるまで、ステップＳ２０７〜２０８が繰り返される。
【００３２】
基地局制御装置２００から全てのコンフィグデータが送信され、最後の設定データメッセージに対する設定データレスポンスメッセージが返された後、基地局制御装置２００は設定セットリクエストメッセージを無線基地局装置１００に送信する（ステップＳ２０９）。この設定セットリクエストメッセージ送信により、無線基地局装置１００の動作開始のトリガを与える。
【００３３】
無線基地局装置１００は、基地局制御装置２００からの設定セットリクエストメッセージを受信すると、設定が完了し、基地局制御装置２００に設定セットレスポンスメッセージを送信し、設定状態３０４から運用状態３０５に遷移し、運用状態になる（ステップＳ２１０）。一方、設定失敗などの場合、設定状態３０４から検索状態３０２に戻り初期処理からやり直す。基地局制御装置２００はその設定セットレスポンスメッセージを受信すると、設定状態４０３から運用状態４０４に遷移する。
【００３４】
その後、無線基地局装置１００は、運用中に所定時間おきに接続確認リクエストメッセージを基地局制御装置２００に送信し、無線基地局装置１００の正常運用を基地局制御装置２００に通知する（ステップＳ２１１）。
【００３５】
基地局制御装置２００は、無線基地局装置１００からの接続確認リクエストメッセージを受信し、その応答として接続確認レスポンスメッセージを無線基地局装置１００に送信する（ステップＳ２１２）。
【００３６】
無線基地局装置１００と基地局制御装置２００との運用状態中にステップＳ２１１〜２１２が繰り返される。
【００３７】
以下、図５に示すフローチャートに基づいて、通信システムの運用中に無線基地局装置１００の各部の動作について説明する。図５は、本発明の第１の実施形態に係る無線基地局装置の各部の動作を示すフローチャートである。
【００３８】
まず、無線基地局装置１００の接続状態監視部１０２は、無線基地局装置１００と基地局制御装置２００との接続を確立したかを判断し（ステップＳ５０１）、無線基地局装置１００と基地局制御装置２００との接続を確立しなかったと判定した場合、ステップＳ５０１に戻り、再度無線基地局装置１００と基地局制御装置２００との接続を確立したかを判断する。
【００３９】
一方、ステップＳ５０１において、無線基地局装置１００と基地局制御装置２００との接続を確立したと判定した場合、接続状態監視部１０２は、無線基地局装置１００と基地局制御装置２００との接続状態が正常であるかを監視する（ステップＳ５０２）。ここで、無線基地局装置１００は、接続確認リクエストメッセージを基地局制御装置２００に送信し、基地局制御装置２００からの接続確認レスポンスメッセージが返ってくるかにより、接続状態が正常であるかを判断する。
【００４０】
ステップＳ５０２において、送信した接続確認リクエストメッセージに対する接続確認レスポンスメッセージが返ってきた場合、すなわち、無線基地局装置１００と基地局制御装置２００との接続状態が正常であると判定した場合、ステップＳ５０２に戻り、接続状態監視部１０２は無線基地局装置１００と基地局制御装置２００との接続状態が正常であるかを監視し続ける。
【００４１】
一方、ステップＳ５０２において、所定時間を経過しても送信した接続確認リクエストメッセージに対する接続確認レスポンスメッセージが返ってこなかった場合、すなわち、接続状態監視部１０２は、無線基地局装置１００と基地局制御装置２００との接続状態が正常ではないと発見し、無線基地局装置１００と基地局制御装置２００との接続に支障が発生したと見なして、切り換え部１０５に支障検出信号を送信し、切り換え部１０５に切り換え指示を送出する（ステップＳ５０３）。
【００４２】
切り換え部１０５は、接続状態監視部１０２からの切り換え指示を受け取ると、端末接続部１０４を制御装置接続部１０１から通信網接続部１０３に切り換えて接続し、接続の切り換えを行う（ステップＳ５０４）。制御装置接続部１０１から通信網接続部１０３に切り換えて接続することにより、連携モードから単独モードに切り換える。
【００４３】
接続状態監視部１０２は、無線基地局装置１００と基地局制御装置２００との接続状態が復旧したかを監視する（ステップＳ５０５）。ここで、無線基地局装置１００と基地局制御装置２００との接続に支障が発生した後も、無線基地局装置１００は、接続確認リクエストメッセージを基地局制御装置２００に送信し続き、接続状態監視部１０２は基地局制御装置２００からの接続確認レスポンスメッセージが返ってくるかにより、接続状態が復旧したかを判断する。
【００４４】
送信した接続確認リクエストメッセージに対する接続確認レスポンスメッセージが返ってこなかった場合、すなわち、無線基地局装置１００と基地局制御装置２００との接続状態が復旧しなかった場合、ステップＳ５０５の動作を繰り返し行い、無線基地局装置１００と基地局制御装置２００との接続状態が復旧したかを監視し続ける。
【００４５】
一方、ステップＳ５０５において、送信した接続確認リクエストメッセージに対する接続確認レスポンスメッセージが返ってきた場合、すなわち、接続状態監視部１０２は、無線基地局装置１００と基地局制御装置２００との接続状態が復旧したと発見した場合、切り換え部１０５に復旧検出信号を送信し、支障が復旧したことを通知し、切り換え部１０５に切り換え指示を送出する（ステップＳ５０６）。
【００４６】
切り換え部１０５は、接続状態監視部１０２からの切り換え指示を受け取ると、端末接続部１０４を通信網接続部１０３から制御装置接続部１０１に切り換えて接続し、接続の切り換えを行い、連携モードに回復し（ステップＳ５０７）、ステップＳ５０１に戻り、再度無線基地局装置１００と基地局制御装置２００との接続を確立したかを判断する。
【００４７】
このような本発明の第１の実施形態によれば、無線基地局装置１００と基地局制御装置２００との間の通信に支障が発生した場合、無線基地局装置１００の接続状態監視部１０２は自動的にその支障が発生したことを検知し、切り換え部１０５に切り換え指示を送出する。切り換え部１０５がその切り換え指示を受けると、端末接続部１０４を制御装置接続部１０１から通信網接続部１０３に切り換えて接続する。また、無線基地局装置１００と基地局制御装置２００との間の通信に支障が復旧した場合、無線基地局装置１００の接続状態監視部１０２は自動的にその支障が復旧したことを検知し、切り換え部１０５に切り換え指示を送出する。切り換え部１０５がその切り換え指示を受けると、端末接続部１０４を通信網接続部１０３から制御装置接続部１０１に切り換えて接続する。
【００４８】
これによって、無線基地局装置１００と基地局制御装置２００との間の通信が正常である場合、連携モードで通信を行い、無線基地局装置１００と基地局制御装置２００との間の通信に支障が発生した場合、自動的に単独モードに切り換え、無線基地局装置１００と基地局制御装置２００との間の通信に支障が復旧した場合、自動的に連携モードに切り換えることができ、通信に支障があっても適応的に対応することができる。
【００４９】
（第２の実施形態）
図６は、本発明の第２の実施形態に係る無線通信システムの概略構成を示すブロック図である。本実施形態の通信システムでは、無線基地局装置と基地局制御装置との間の遅延時間が所定レベルを超えた場合、自動的に単独モードに切り換え、その遅延時間が所定レベル未満に戻ったら、自動的に連携モードに切り換える例である。
【００５０】
図６に示すように、本実施形態の無線基地局装置６００は、図１に示した第１の実施形態の無線基地局装置１００の構成において、タイマ６０１を設け、接続状態監視部１０２の代わりに、遅延検出部６０２を接続状態監視手段として設けたものである。なお、図１に示した第１の実施形態の無線基地局装置１００と同一の構成要素には、同一の符号を付してその説明を省略する。
【００５１】
タイマ６０１は、無線基地局装置６００が基地局制御装置２００を探すために、検索リクエストメッセージを送信した場合の基地局制御装置２００からの検索レスポンスメッセージを受信するまでの遅延時間、又は、運用中に無線基地局装置６００が接続確認リクエストメッセージを基地局制御装置２００に送信した場合の基地局制御装置２００からの接続確認レスポンスメッセージを受信するまでの遅延時間を計測するものである。
【００５２】
遅延検出部６０２は、タイマ６０１が計測して得た遅延時間より、無線基地局装置６００と基地局制御装置２００との間の遅延時間が所定レベルを超えたかを判断し、その遅延時間が所定レベルを超えたと判定した場合、切り換え部１０５に切り換え指示を送信する。遅延超過を判定した後も、引き続き無線基地局装置６００と基地局制御装置２００との間の遅延時間が所定レベルを超えたかを判断し、その遅延時間が所定レベル未満に戻ったと判定した場合、再度切り換え部１０５に切り換え指示を送信する。
【００５３】
図７は、タイマが遅延時間を計測するシーケンス図である。図７において、タイマ６０１は、無線基地局装置６００からの検索リクエストメッセージあるいは接続リクエストメッセージに対する応答の遅延時間を計測する。
【００５４】
以下、図８に示すフローチャートに基づいて、通信システムの運用中に無線基地局装置６００の各部の動作について説明する。図８は、本発明の第２の実施形態に係る無線基地局装置の各部の動作を示すフローチャートである。
【００５５】
まず、処理が開始すると、タイマ６０１は、無線基地局装置６００と基地局制御装置２００との間の遅延時間を計測する（ステップＳ８０１）。ここで、無線基地局装置６００が立ち上がり次第計測する場合、無線基地局装置６００が基地局制御装置２００を探すために、検索リクエストメッセージを送信するので、基地局制御装置２００からの検索レスポンスメッセージを受信するまでの遅延時間を計測する。また、無線基地局装置６００が運用状態のときに計測する場合、無線基地局装置６００が接続確認リクエストメッセージを基地局制御装置２００に送信するので、基地局制御装置２００からの接続確認レスポンスメッセージを受信するまでの遅延時間を計測する。
【００５６】
遅延検出部６０２は、ステップＳ８０１においてタイマ６０１が計測して得た遅延時間より、無線基地局装置６００と基地局制御装置２００との間の遅延時間が所定レベルを超えたかを判断し（ステップＳ８０２）、その遅延時間が所定レベルを超えていないと判定した場合、ステップＳ８０１に戻り、再度無線基地局装置６００と基地局制御装置２００との間の遅延時間を計測する。
【００５７】
一方、ステップＳ８０２において、無線基地局装置６００と基地局制御装置２００との間の遅延時間が所定レベルを超えたと判定した場合、切り換え部１０５に遅延検出信号を送信し、切り換え部１０５に切り換え指示を送出する（ステップＳ８０３）。
【００５８】
切り換え部１０５は、遅延検出部６０２からの切り換え指示を受け取ると、端末接続部１０４を制御装置接続部１０１から通信網接続部１０３に切り換えて接続し、接続の切り換えを行う（ステップＳ８０４）。端末接続部１０４を制御装置接続部１０１から通信網接続部１０３に切り換えて接続することにより、連携モードから単独モードに切り換える。
【００５９】
タイマ６０１は、無線基地局装置６００と基地局制御装置２００との間の遅延時間を計測する（ステップＳ８０５）。ここで、遅延を検出した後も、タイマ６０１は引き続き遅延時間を計測する。
【００６０】
遅延検出部６０２は、ステップＳ８０５においてタイマ６０１が計測して得た遅延時間が所定レベルを超えたかを判断し（ステップＳ８０６）、その遅延時間がまだ所定レベルを超えたと判定した場合、ステップＳ８０５に戻り、再度無線基地局装置６００と基地局制御装置２００との間の遅延時間を計測する。
【００６１】
一方、ステップＳ８０６において、ステップＳ８０５においてタイマ６０１が計測して得た遅延時間が所定レベルより大きくないと判定した場合、切り換え部１０５に復旧検出信号を送信し、遅延が復旧したことを通知し、切り換え部１０５に切り換え指示を送出する（ステップＳ８０７）。
【００６２】
切り換え部１０５は、遅延検出部６０２からの切り換え指示を受け取ると、端末接続部１０４を通信網接続部１０３から制御装置接続部１０１に切り換えて接続し、接続の切り換えを行い、単独モードから連携モードに切り換えて（ステップＳ８０８）、ステップＳ８０１に戻り、再度無線基地局装置６００と基地局制御装置２００との間の遅延時間を計測する。
【００６３】
このような本発明の第２の実施形態によれば、無線基地局装置６００と基地局制御装置２００との間の遅延時間が所定レベルを超えた場合、無線基地局装置６００の遅延検出部６０２は自動的にその遅延が発生したことを検知し、切り換え部１０５に切り換え指示を送出する。切り換え部１０５がその切り換え指示を受けると、端末接続部１０４を制御装置接続部１０１から通信網接続部１０３に切り換えて接続する。また、無線基地局装置６００と基地局制御装置２００との間の遅延が所定レベル以下に戻った場合、無線基地局装置６００の遅延検出部６０２は自動的にその遅延が復旧したことを検知し、切り換え部１０５に切り換え指示を送出する。切り換え部１０５がその切り換え指示を受けると、端末接続部１０４を通信網接続部１０３から制御装置接続部１０１に切り換えて接続する。これによって、無線基地局装置６００と基地局制御装置２００との間の遅延時間が所定レベル以下である場合、連携モードで通信を行い、無線基地局装置６００と基地局制御装置２００との間の遅延が発生した場合、自動的に単独モードに切り換え、無線基地局装置６００と基地局制御装置２００との間の遅延が復旧した場合、自動的に連携モードに切り換えることができ、通信に遅延があっても適応的に対応することができる。
【００６４】
なお、以上の説明では、基地局制御装置２００が１つある例を説明したが、基地局制御装置の冗長化を行うため、冗長プロトコルとして、ＶＲＲＰ（Virtual Router Redundancy Protocol）などを使用しても同様に実施可能である。
【００６５】
図９は、ＶＲＲＰを使用するときの通信システムの構成を示す図である。図９に示すように、通信システムは、基地局制御装置９０１のほかにバックアップ基地局制御装置９０２を設置し、無線基地局装置９０３と、例えばイーサネット（登録商標）等のＬＡＮである通信網９０４を介して接続されている。また、基地局制御装置９０１及びバックアップ基地局制御装置９０２は、それぞれ異なる通信路を介して（上位の通信網９００，９００ｂを介して）対抗装置９０５に接続されている。
【００６６】
なお、基地局制御装置９０１及びバックアップ基地局制御装置９０２と、無線基地局装置９０３とは、第１又は第２の実施形態にて説明した、基地局制御装置２００と、無線基地局装置１００又は６００と同様の構成を備えている。なお、ＶＲＲＰを用いた制御は、基地局制御装置２００の基地局接続部２０３が行っている。
【００６７】
基地局制御装置９０１及びバックアップ基地局制御装置９０２は、互いにその通信に障害が生じていないか否かを監視し、障害が発生したときにＶＲＲＰアドバタイズを行い、バックアップ基地局制御装置９０２が基地局制御装置９０１に代わってマスタの装置となる。
【００６８】
したがって、正常時には、無線基地局装置９０３は基地局制御装置９０１を介して通信網９００に接続する。そして、基地局制御装置９０１、無線基地局装置９０３と基地局制御装置９０１との間、又は基地局制御装置の上位の通信網９００に障害が起きたとき、無線基地局装置９０３はバックアップ基地局制御装置９０２を介して通信網９００ｂに接続する。これによって、障害が起きたときに、異なる通信路を介して通信を行うことにより、基地局制御装置の冗長化を行うので、より確実性の高い連携モードでの通信を行うことができる。
【産業上の利用可能性】
【００６９】
本発明の無線基地局装置及び無線基地局システムは、通信に支障がある場合にも柔軟に対応可能な効果を有し、無線ＬＡＮ等に有用である。
【図面の簡単な説明】
【００７０】
【図１】本発明の第１の実施形態に係る無線通信システムの概略構成を示すブロック図
【図２】無線基地局装置と基地局制御装置との間のデータのやりとりを示すシーケンス図
【図３】無線基地局装置の状態遷移を示す図
【図４】基地局制御装置の状態遷移を示す図
【図５】本発明の第１の実施形態に係る無線基地局装置の各部の動作を示すフローチャート
【図６】本発明の第２の実施形態に係る無線通信システムの概略構成を示すブロック図
【図７】タイマが遅延時間を計測するシーケンス図
【図８】本発明の第２の実施形態に係る無線基地局装置の各部の動作を示すフローチャート
【図９】ＶＲＲＰを使用するときの通信システムの構成を示す図
【符号の説明】
【００７１】
１００，６００，９０３  無線基地局装置
１０１  制御装置接続部
１０２  接続状態監視部
１０３，２０１  通信網接続部
１０４  端末接続部
１０５  切り換え部
２００，９０１  基地局制御装置
２０２  基地局制御部
２０３  基地局接続部
４００  端末装置
６０１  タイマ
６０２  遅延検出部
９０２  バックアップ基地局制御装置
【図１】
2006203640.tif 000003
【図２】
2006203640.tif 000004
【図３】
2006203640.tif 000005
【図４】
2006203640.tif 000006
【図５】
2006203640.tif 000007
【図６】
2006203640.tif 000008
【図７】
2006203640.tif 000009
【図８】
2006203640.tif 000010
【図９】
2006203640.tif 000011